【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
第１放電用電極（２１１）及び第２放電用電極（２１２）と、上記第１放電用電極及び第２放電用電極の少なくとも一方の内側面に配された誘電体層（２２）と、を備えたパルス放電負荷（２）と、
上記パルス放電負荷にパルス電圧を周期的に出力するパルスパワー電源回路部（３）と、を有する放電装置（１）であって、
上記パルスパワー電源回路部（３）は、電気エネルギーを蓄積することができるエネルギー蓄積部（３１）を有し、
上記パルスパワー電源回路部は、上記エネルギー蓄積部と上記パルス放電負荷との間において電気エネルギーを可逆的に移動させることができるよう構成されており、
上記パルスパワー電源回路部は、複数のコンデンサ（Ｃｍ）と複数のスイッチ（ＳＷ）とを有し、複数の上記スイッチのオンオフの切り替えにより、複数の上記コンデンサを互いに直列接続した直列状態と、複数の上記コンデンサを互いに並列接続した並列状態と、を切り替えることができるよう構成されており、上記直列状態にて、上記パルス放電負荷へのパルス電圧の出力を行い、上記並列状態にて、上記パルス放電負荷の上記誘電体層の容量成分（Ｃ２）から上記エネルギー蓄積部への電気エネルギーの回収を行うよう構成されている、放電装置。
【請求項２】
上記パルスパワー電源回路部は、互いに接続された複数段の回路ユニット（４）と、１段目の上記回路ユニットに正極が接続された直流電源（５）と、最終段の上記回路ユニット（４、４Ｚ）と上記直流電源の負極との間に接続された直列スイッチユニット（６）と、を有し、
複数の上記スイッチとして、上記回路ユニットに属する第１スイッチ（ＳＷ１）及び第２スイッチ（ＳＷ２）と、上記直列スイッチユニットに属する第３スイッチ（ＳＷ３）とを有し、
上記回路ユニットは、上記第１スイッチと上記第２スイッチとを中間接続点（４１Ｍ）において互いに直列接続してなるスイッチ直列体（４１）と、該スイッチ直列体に並列接続された上記コンデンサと、を有し、上記スイッチ直列体と上記コンデンサとの接続部として、第１接続部（４２１）及び第２接続部（４２２）を有し、
上記直列スイッチユニットは、複数の上記第３スイッチを互いに直列接続してなり、
最終段の上記回路ユニットの上記第１接続部が、上記パルス放電負荷の上記第１放電用電極に接続され、
上記直流電源の負極と上記直列スイッチユニットの一端とは、互いに接続されると共に、上記パルス放電負荷の上記第２放電用電極に接続され、
１段目の上記回路ユニット（４、４Ａ）の上記中間接続点に、上記直流電源の正極が接続されており、
ｋ段目の上記回路ユニットの上記中間接続点に、（ｋ−１）段目の上記回路ユニットの上記第１接続部が接続されており、
上記ｋは、２以上の自然数であり、
ｋ段目の上記回路ユニットの上記第２接続部と、（ｋ−１）段目の上記回路ユニットの上記第２接続部との間には、上記直列スイッチユニットにおける上記第３スイッチが介在しており、
１段目の上記回路ユニットの上記第２接続部と上記直流電源の負極との間にも、上記直列スイッチユニットにおける上記第３スイッチが介在している、請求項１に記載の放電装置。
【請求項３】
上記第１スイッチ及び上記第３スイッチをオフにすると共に上記第２スイッチをオンにすることにより、上記直列状態を形成し、上記第１スイッチ及び上記第３スイッチをオンにすると共に上記第２スイッチをオフにすることにより、上記並列状態を形成する、請求項２に記載の放電装置。
【請求項４】
上記パルスパワー電源回路部は、上記スイッチとして、互いに直列接続された第４スイッチ（ＳＷ４）及び第５スイッチ（ＳＷ５）をさらに有し、最終段の上記回路ユニットは、上記スイッチ直列体及び上記コンデンサに、上記第４スイッチと上記第５スイッチとの直列体である付属スイッチ直列体（４３）を、並列接続してあり、上記付属スイッチ直列体における上記第４スイッチと上記第５スイッチとの接続点（４３Ｍ）が、上記パルス放電負荷の上記第１放電用電極に接続されている、請求項２又は３に記載の放電装置。
【請求項５】
上記パルス放電負荷の上記誘電体層の容量成分から上記エネルギー蓄積部への電気エネルギーの回収を行う際には、上記第１スイッチ、上記第３スイッチ、及び上記第４スイッチをオンにすると共に上記第２スイッチ及び上記第５スイッチをオフにして、上記直列状態を形成し、その後、上記パルス放電負荷の電極間電圧が、上記直流電源の電源電圧まで低下したとき、上記第４スイッチをオフに切り替えるとともに、上記第５スイッチをオンに切り替えることで、上記パルス放電負荷の上記第１放電用電極と上記第２放電用電極とを短絡させるよう構成されている、請求項４に記載の放電装置。
【請求項６】
上記パルスパワー電源回路部は、１段目の上記回路ユニットと上記直流電源の正極との間に介在した電源保護ユニット（４０）を、さらに有し、
上記電源保護ユニットは、保護用ダイオード（４０１）と、該保護用ダイオードのアノードに接続された上記スイッチである第６スイッチ（ＳＷ６）と、上記保護用ダイオードと上記第６スイッチとの直列体である保護用直列体（４４）に並列接続された上記コンデンサと、上記保護用直列体と上記コンデンサとの接続部である第３接続部（４２３）及び第４接続部（４２４）と、を有し、
上記第３接続部が、１段目の上記回路ユニットの上記中間接続点に接続され、上記第４接続部と、上記直流電源の負極との間に、上記直列スイッチユニットの上記第３スイッチが介在し、上記第４接続部と１段目の上記回路ユニットの上記第２接続部との間にも、上記直列スイッチユニットの上記第３スイッチが介在している、請求項２〜５のいずれか一項に記載の放電装置。
【請求項７】
上記パルスパワー電源回路部は、上記パルス放電負荷と直列接続される誘導成分（Ｌ）を有し、上記誘導成分は、上記パルス放電負荷の上記誘電体層の容量成分と共振可能に構成されており、上記誘導成分が、上記エネルギー蓄積部の少なくとも一部を構成している、請求項１〜６のいずれか一項に記載の放電装置。
【請求項８】
上記パルスパワー電源回路部は、上記エネルギー蓄積部から上記パルス放電負荷への電気エネルギーの移動と、上記パルス放電負荷から上記エネルギー蓄積部への電気エネルギーの移動とを、上記誘導成分と上記容量成分との共振周期の間に実行するよう構成されている、請求項７に記載の放電装置。
【手続補正２】
【補正対象書類名】明細書
【補正対象項目名】０００７
【補正方法】変更
【補正の内容】
【０００７】
本発明の一態様は、第１放電用電極（２１１）及び第２放電用電極（２１２）と、上記第１放電用電極及び第２放電用電極の少なくとも一方の内側面に配された誘電体層（２２）と、を備えたパルス放電負荷（２）と、
上記パルス放電負荷にパルス電圧を周期的に出力するパルスパワー電源回路部（３）と、を有する放電装置（１）であって、
上記パルスパワー電源回路部（３）は、電気エネルギーを蓄積することができるエネルギー蓄積部（３１）を有し、
上記パルスパワー電源回路部は、上記エネルギー蓄積部と上記パルス放電負荷との間において電気エネルギーを可逆的に移動させることができるよう構成されており、
上記パルスパワー電源回路部は、複数のコンデンサ（Ｃｍ）と複数のスイッチ（ＳＷ）とを有し、複数の上記スイッチのオンオフの切り替えにより、複数の上記コンデンサを互いに直列接続した直列状態と、複数の上記コンデンサを互いに並列接続した並列状態と、を切り替えることができるよう構成されており、上記直列状態にて、上記パルス放電負荷へのパルス電圧の出力を行い、上記並列状態にて、上記パルス放電負荷の上記誘電体層の容量成分（Ｃ２）から上記エネルギー蓄積部への電気エネルギーの回収を行うよう構成されている、放電装置にある。